(57)【要約】【課題】芯タンクをノックしてテーパーの先端から芯を繰り出す形式のシャープペンシルにおいて、芯の送出量を調整できるようにした構成の簡単なシャープペンシルを提供する。【解決手段】軸筒１内に、芯６を繰り出すためのチャック３１およびチャックリング３０を先端に有する芯タンク５を収納する。軸筒には回転可能なグリップ１９が設けられ、先端軸部１０にはねじ部１６が形成されている。このねじ部１６にねじ係合する作動駒２４が先端軸部１０に取り付けられ、この作動駒２４には、上記チャックリング３０が当たる段部３を有するテーパー２が取り付けられる。作動駒２４は、軸方向に移動可能にグリップ１９に連結され、グリップ１９を回転するとテーパー２の位置が軸方向に変化し、芯の送出し長さを調整することができる。【選択図】図１
2014040004.tif 000002
【特許請求の範囲】
【請求項１】
軸筒の内部に軸方向に移動可能に芯タンクを収納し、上記芯タンクの前部に芯を把持するチャック及びチャックリングを連結し、軸筒の先端に上記チャックリングが当接する段部と芯保持部を有するテーパーを設け、該芯タンクを後方に付勢し、上記チャックを前進させてチャックリングがテーパーの段部に当たる位置まで芯送りできるようにしたシャープペンシルにおいて、上記軸筒の先端に上記チャックが挿通する先端軸部を形成し、該先端軸部の外周にねじ部を設け、該ねじ部に作動駒をねじ係合し、該作動駒に上記テーパーを取り付け、軸筒にグリップを回転可能に嵌着し、該グリップと上記作動駒を軸方向に移動可能に連結したことを特徴とするシャープペンシル。
【請求項２】
上記グリップの内面と軸筒の外面間にはグリップの移動に抵抗力を与えるよう複数の隆起条とこれに係合する係止突起が設けられている請求項１に記載のシャープペンシル。
【請求項３】
上記グリップの内面と軸筒の外面間にはグリップを所定角度回転した際当接するようストップ片が設けられている請求項１又は２に記載のシャープペンシル。
【請求項４】
上記軸筒は前方から後方に向かって先端軸部、中間軸部、制御軸部、本体軸部を有し、グリップには、本体軸部の前方に嵌着している請求項１から３のいずれかに記載のシャープペンシル。
【請求項５】
上記グリップの小径部にはガイド溝が形成され、作動駒には該小径部に挿入される筒状部を有し、該筒状部には上記ガイド溝に摺動可能に入り込む摺動突起が形成されている請求項１から４のいずれかに記載のシャープペンシル。
【請求項６】
上記作動駒の筒状部にはグリップの前方部分に内接するフランジ部が設けられている請求項５に記載のシャープペンシル。
【発明の詳細な説明】
【技術分野】
【０００１】
本発明は、ノック操作や上下動操作により軸筒の先端から芯を所定長づつ送り出すことができるようにしたシャープペンシルにおいて、芯の送出量を調節したり、先端から突出する芯の突出量を調整できるようにしたシャープペンシルに関するものである。
【背景技術】
【０００２】
芯タンクをノックしたり、軸筒内に設けた錘を上下動させることによりチャックを前進させて芯を軸筒の先端から送り出すようにしたシャープペンシルが知られている。このようなシャープペンシルは、ノックや上下動させた際に、チャックが前進し、該チャックを締着しているチャックリングがストッパー（段部）に当る位置まで芯を送り出すことができるように構成されている。このストッパーは軸筒の先端に設けた先端具（テーパー）内に形成され、先端具を軸方向に移動してストッパーとチャックリングの間隔を変化させることにより、芯の送出量を調整できるようにした調整装置が種々提案されている（例えば特許文献１参照）。
【０００３】
しかし、特許文献１に記載されているように、従来のこの種のシャープペンシルは、調節リングを回転して軸方向に移動させる構成であるから、軸筒のグリップを調節リングに兼用しようとすると、グリップが軸筒上で軸方向に移動し、軸筒から脱落するおそれもあり、シャープペンシルとして使いにくい。また、調節リングをねじ着するためのねじ部が外面に現われるので、体裁もよくない。
【先行技術文献】
【特許文献】
【０００４】
【特許文献１】実開昭５７−１０１０８５号公報（第１図）
【発明の概要】
【発明が解決しようとする課題】
【０００５】
本発明の解決課題は、芯タンクをノックしたり、軸筒内で錘を上下動することにより芯を送り出すことができるようにしたノック式シャープペンシルにおいて、軸方向に移動しないグリップにより、芯の送出量を的確に調整できるようにしたシャープペンシルを提供することである。
【課題を解決するための手段】
【０００６】
本発明によれば、軸筒の内部に軸方向に移動可能に芯タンクを収納し、上記芯タンクの前部に芯を把持するチャック及びチャックリングを連結し、軸筒の先端に上記チャックリングが当接する段部と芯保持部を有するテーパーを設け、該芯タンクを後方に付勢し、上記チャックを前進させてチャックリングがテーパーの段部に当たる位置まで芯送りできるようにしたシャープペンシルにおいて、上記軸筒の先端に上記チャックが挿通する先端軸部を形成し、該先端軸部の外周にねじ部を設け、該ねじ部に作動駒をねじ係合し、該作動駒に上記テーパーを取り付け、軸筒にグリップを回転可能に嵌着し、該グリップと上記作動駒を軸方向に移動可能に連結したことを特徴とするシャープペンシルが提供され、上記課題が解決される。
【０００７】
また、本発明によれば、上記グリップの内面と軸筒の外面にはグリップを所定角度回転した際当接するストップ片が形成され、かつグリップの移動に軽い抵抗力を付与するよう複数の隆起条とこれに係合する係止突起が設けられている上記シャープペンシルが提供される。
【発明の効果】
【０００８】
本発明は、上記のように構成され、軸筒の内部に軸方向に移動可能に芯タンクを収納し、上記芯タンクの前部に芯を把持するチャック及びチャックリングを連結し、軸筒の先端に上記チャックリングが当接する段部と芯保持部を有するテーパーを設け、該芯タンクを後方に付勢し、上記チャックを前進させてチャックリングがテーパーの段部に当たる位置まで芯送りできるようにしたシャープペンシルにおいて、上記軸筒の先端に上記チャックが挿通する先端軸部を形成し、該先端軸部の外周にねじ部を設け、該ねじ部に作動駒をねじ係合し、該作動駒に上記テーパーを取り付け、軸筒にグリップを回転可能に嵌着し、該グリップと上記作動駒を軸方向に移動可能に連結したから、芯タンクを前進させると、通常のように、チャックリングがテーパーの段部に当る位置までチャックは芯を把持して送り出すことができる。そして、グリップを回転すると、作動駒はねじ部により軸方向に移動しテーパーの位置が前後に変化するから、チャックリングが当る上記段部の位置が軸方向に調整され、芯の送出量を変えることができる。この際、上記調整機構は、軸筒に取り付けたグリップとテーパーを保持する作動駒で構成されているので、部品点数が少なく、組立も容易で経済的に得ることができる。またグリップは所定角度まで回転するが隆起条とこれに係合する係止突起により軸方向には移動しないから、軸筒から脱落することがなく、シャープペンシルとして使いやすく、ねじ部が外面に現われないので体裁もよい。
【０００９】
また、グリップの調整により作動駒を移動させてチャックリングにテーパーの段部を接触させれば、芯が繰り出されないようにでき、携行時に便利である。芯繰り出し時にグリップを回転すれば、ノックした際の芯出量を調整することができる。使用状態で、グリップを調整すれば、芯を出しすぎた場合でも芯の突出量を調整できるし、芯が短くなったときには、ノック操作をせずにグリップを回すだけで芯出しすることも可能である。
【図面の簡単な説明】
【００１０】
【図１】本発明の一実施例を示し、芯送りをできないようにした状態の断面図。
【図２】図１のＡ―Ａ線拡大断面図。
【図３】図１のＢ―Ｂ線拡大断面図。
【図４】図１のＣ―Ｃ線拡大断面図。
【図５】作動駒を移動させた状態の断面図。
【図６】軸筒の一部を示し、（Ａ）は正面図、（Ｂ）は底面図、（Ｃ）は断面図、（Ｄ）は（Ａ）図のＤ−Ｄ線断面図、（Ｅ）は（Ａ）図のＥ―Ｅ線断面図。
【図７】グリップを示し、（Ａ）は断面図、（Ｂ）は（Ａ）図のＢ−Ｂ線断面図、（Ｃ）は（Ｂ）図のＣ―Ｃ線断面図、（Ｄ）は（Ｂ）図のＤ−Ｄ線断面図、（Ｅ）は（Ｂ）図のＥ―Ｅ線断面図、（Ｆ）は（Ｂ）図のＦ―Ｆ線断面図。
【図８】作動駒を示し、（Ａ）平面図、（Ｂ）は側面図、（Ｃ）は断面図、（Ｄ）は（Ｃ）図のＤ−Ｄ線断面図。
【発明を実施するための形態】
【００１１】
図１は、本発明のシャープペンシルの一実施例を示し、軸筒１は、先端に段部３と芯保持部４を有するテーパー（口金）２を具備し、内部には軸筒１の軸方向（前後方向、上下方向）に移動可能に芯タンク５が挿入され、芯６が収納されている。図１において、軸筒１は、前方から後方まで連続する一体的な筒状体に形成されているが、前部（下部）軸筒と、該前部軸筒に接続される後部（上部）軸筒で構成することもできる。軸筒１の内面には、肩部７が形成され、該肩部７と芯タンク５の肩部８間には該芯タンク５を後方に付勢するスプリング９が設けられている。該芯タンク５の後端には、公知のように、消しゴムやノックキャップが嵌着される（図示略）。
【００１２】
上記軸筒１は、図６に示すように、前方から小径の先端軸部１０、中間軸部１１、制御軸部１２、本体軸部１３が順次後方に向かって外径が太くなるように形成され、先端軸部１０と中間軸部１１間、及び制御軸部１２と本体軸部１３間には段部１４，１５が設けられている。上記先端軸部１０の一部には、ねじ部（雄ねじ）１６が形成されている。この中間軸部１１と制御軸部１２間には、制御軸部１２から連続する弧状のストップ片１７が形成され、該ストップ片１７の両端は、図６（Ｄ）に示すように、中間軸部１１の外面よりも突出している。また、制御軸部１２の外面には軸方向に延びる小さな係止突起１８が設けられている。
【００１３】
上記軸筒１の本体軸部１３より前方の外周には、グリップ１９が回転可能に嵌着されている。図７を参照し、該グリップ１９は筒状に形成され、前方部分の内面には段部を介し内径が小さい小径部に形成され、この小径部に軸方向に延びるガイド溝２０が形成され、中間部分の内面には軸筒１の中間軸部１１に摺接するよう複数のリブ２１が形成されている。該リブ２１の後方には、グリップ１９を所定角度回転した際、上記軸筒１のストップ片１７と係合してグリップ１９の回転を停止するよう内方に突出する弧状のストップ片２２が形成されている。また、軸筒１の上記制御軸部１２に対向する部分の内面には、軸方向に延びる複数の隆起条２３が形成され、上記制御軸部１２に設けた係止突起１８が該隆起条２３に係合してグリップ１９を回転する際の回転にクリック感を与えるとともにグリップ１９の動きに軽い抵抗力を付与している。
【００１４】
上記先端軸部１０のねじ部１６には、作動駒２４がねじ係合されている。該作動駒２４は、図８に示すように、上記ねじ部１６に係合するねじ状突起（雌ねじ）２５を内面に有し、外面には上記テーパー２を取り付けるためのねじ部２６が設けられている。なお、このねじ部２６に代えてテーパー２と作動駒２４の嵌合部に凹凸係合部を設けてテーパーを嵌着して取り付けるようにしてもよい（図示略）。作動駒２４の後方部は、段部を介して上記グリップの前方部分に内接するフランジ部２７及び小径部内に挿入できる外径の筒状部２８に形成されており、この筒状部２８には上記ガイド溝２０に摺動可能に入り込むよう摺動突起２９が設けられている。この構成により、作動駒２４は安定状態でグリップ１９に連結され、芯の折損を防止できる。グリップ１９を回転すると、作動駒２４も一緒に回転するが、該作動駒２４は上記ねじ部１６にねじ係合しているので、回転しながら軸筒１の前後方向（軸方向）に移動する。なお、実施例とは反対に、作動駒２４にガイド溝を設け、上記グリップ１９に摺動突起を設けてもよい（図示略）。
【００１５】
組み立てる際は、軸筒１の後方からスプリング９を装着した芯タンク５を挿入し、前方からチャックリング３０を装着したチャック３１を挿入し、該チャック３１の後端を芯タンク５の先端に圧入固定する。次に、グリップ１９を軸筒１の前方から挿入し、係止突起１８と隆起条２３を係合させる。そして、作動駒２４を先端軸部１０の前方から挿入し、摺動突起２９をガイド溝２０に合わせながら筒状部２８をグリップ１９の小径部内に挿入する。この際、プラスチック製の作動駒２４の内面に形成したねじ状突起２５は、作動駒２４を回転させることなく単に軸方向に強く圧入するだけでねじ部２６に係合し、組み立て作業が簡単になる。その後、作動駒２４にテーパー２をねじ着すれば、組み立て作業が完了する。
【００１６】
上記の構成により、図１に示すようにテーパー２の段部３がチャックリング３０に当接する位置まで作動駒２４を後退させておくと、芯タンク５をノックしても芯６は繰り出されない。
【００１７】
上記グリップ１９を回転すると、作動駒２４は前進するから、図５に示すように、チャックリング３０とテーパー２の段部３間には、芯出空間が形成される。その状態で芯タンク５をノックすると、チャックリング３０が芯出空間を移動する長さ分、芯を繰り出すことができる。したがって、このグリップ１９を回転して芯出空間の長さを調整することにより、芯６の繰り出し量を調整することができる。
【００１８】
また、図５の状態でもグリップ１９を回転することができるから、該グリップ１９の回転により芯６の突出量を変えることができる。例えば、芯を出しすぎた場合、従来のように再度ノック操作をすることなく、上記グリップ１９を回転してテーパー２を前進させればよい。このようにすれば、従来のように芯の先端を紙面に押し当ててノック操作する必要がないから、紙面を汚したり、芯カスが周囲に落下してしまうこともない。
【００１９】
また、筆記により芯が短くなったときには、グリップ１９を回転してテーパー２を後退させれば、芯の先端は相対的にテーパー２から突出することになるので、再度ノック操作等をする必要がなくなる。
【００２０】
上記実施例では、芯タンクをノックする形式のシャープペンシルにつき説明したが、錘を用いた上下動式のシャープペンシルに本発明を適応することもできる。
【符号の説明】
【００２１】
１    軸筒
２    テーパー
５    芯タンク
１０  先端軸部
１１  中間軸部
１２  制御軸部
１３  本体軸部
１６  ねじ部
１７  ストップ片
１８  係止突起
１９  グリップ
２０  ガイド溝
２２  ストップ片
２３  隆起条
２４  作動駒
２５  ねじ状突起
２９  摺動突起
３０  チャックリング
３１  チャック
【図１】
2014040004.tif 000003
【図２】
2014040004.tif 000004
【図３】
2014040004.tif 000005
【図４】
2014040004.tif 000006
【図５】
2014040004.tif 000007
【図６】
2014040004.tif 000008
【図７】
2014040004.tif 000009
【図８】
2014040004.tif 000010